(57)【特許請求の範囲】
【請求項１】
電磁誘導により導体を発熱させる電磁誘導加熱装置であって、
誘導コイルと、
該誘導コイルが少なくとも一つ以上設けられる操作用のアプリケータと、
前記誘導コイルに高周波電流を供給する電源と、
前記アプリケータ近傍の画像を撮影する撮影手段と、
前記撮影手段によって撮影された画像データを送信する通信手段と、
前記電源から前記誘導コイルに対する高周波電流の出力の制御を行う制御手段と、
前記アプリケータに設けられており、前記導体の有無、その種類、その位置を検出する非接触センサを備えるとともに、
前記制御手段は、前記非接触センサによる検出結果に応じて、最適な加熱条件を決定し、該決定された加熱条件に基づいて、前記誘導コイルへ供給する高周波電流の出力を制御することを特徴とする電磁誘導加熱装置。
【請求項２】
前記通信手段がネットワークに接続されており、
該ネットワークに接続された端末において前記画像データを再生する再生手段，
を備えたことを特徴とする請求項１記載の電磁誘導加熱装置。
【請求項３】
前記通信手段がネットワークに接続されており、
前記制御手段は、
前記ネットワークに接続された端末から送信されたデータに基づいて、前記誘導コイルへ供給する高周波電流の出力を制御することを特徴とする請求項１又は２記載の電磁誘導加熱装置。
【請求項４】
前記非接触センサが、電磁波又は超音波を対象物に向けて発信し、前記対象物による反射波を受信するものであり、
前記制御手段は、
最適な加熱条件として、前記誘導コイルに供給する高周波電流の電流値，周波数，通電時間を決定することを特徴とする請求項１〜３のいずれか一項に記載の電磁誘導加熱装置。
【請求項５】
前記アプリケータが温度センサを備えており、
前記制御手段は、
前記温度センサの出力に基づき、前記最適な加熱条件を修正することを特徴とする請求項４記載の電磁誘導加熱装置。
【請求項６】
前記加熱条件に影響を与える情報を入力するための入力手段，
を設けるとともに、
前記制御手段は、
前記入力手段により入力された情報を考慮して、前記最適な加熱条件を決定することを特徴とする請求項４又は５記載の電磁誘導加熱装置。
【請求項７】
前記アプリケータに、前記撮影手段で撮影された画像を前記通信手段を介して表示する表示手段を設けたことを特徴とする請求項１〜６のいずれか一項に記載の電磁誘導加熱装置。
【請求項８】
一端側に前記アプリケータが取り付けられる長尺の延長手段，
を設けるとともに、
前記アプリケータと前記延長手段を、前記アプリケータが対象物に接触するように付勢する付勢手段を介して接続することを特徴とする請求項１〜７のいずれか一項に記載の電磁誘導加熱装置。
【請求項９】
前記延長手段が伸縮可能であることを特徴とする請求項８記載の電磁誘導加熱装置。
【請求項１０】
前記延長手段が、前記アプリケータに対して着脱可能であることを特徴とする請求項８又は９記載の電磁誘導加熱装置。
【請求項１１】
前記延長手段に、前記撮影手段で撮影された画像を前記通信手段を介して表示するための表示手段を設けたことを特徴とする請求項８〜１０のいずれか一項に記載の電磁誘導加熱装置。
【発明の詳細な説明】
【技術分野】
【０００１】
本発明は、対象物同士の接着・剥離や、加工などを行うための電磁誘導加熱装置に関するものである。
【背景技術】
【０００２】
金属などの導体に誘導電流を流し、ジュール熱により前記導体を発熱させて、接着剤層を加熱し、対象部材を相互に接着したり、接着剤層により接着された対象部材相互を分離解体したりする電磁誘導加熱装置として、下記特許文献１に記載の技術がある。当該特許文献１の電磁誘導加熱装置は、商用電源を直流電流に整流する整流部を有する電源ユニットと、前記直流電流を高周波電流に変換する高周波発生部を有するとともに通電時間を設定する通電時間設定部を有する変換ユニットと、前記高周波発生部からの高周波電流が供給される誘導コイルが装着されるとともに、操作用の取手が設けられ作業者により加熱操作が行われるアプリケータとを有している。そして、一方の前記対象部材に接着剤を介して配置される他方の前記対象部材の種類と位置を超音波振動の反射により識別する対象物検出センサを前記アプリケータに設け、前記対象物検出センサからの信号に基づいて前記誘導コイルの通電時間を調整することが開示されている。
【先行技術文献】
【特許文献】
【０００３】
【特許文献１】特許第４８５５３８７号公報
【発明の概要】
【発明が解決しようとする課題】
【０００４】
前記特許文献１に記載の技術によれば、接着部材や分離解体部材の種類等に応じて適した条件で接着剤を加熱することができ、また、電磁誘導加装置を相互に接続される複数のユニットにより形成し、それぞれのユニットを組み合わせて作業場所に応じた電磁誘導加熱装置を組み立てることができる。しかしながら、接着剤の加熱条件は、上記対象部材のみによって決まるものではない。従って、実際の作業で培った経験に基づく指示を取り入れることができれば、より確実な作業を行うことができる。
【０００５】
本発明は、以上のような点に着目したもので、遠隔地からの指示を取り入れた作業も可能な電磁誘導加熱装置を提供することを、その目的とする。
【課題を解決するための手段】
【０００６】
本発明は、電磁誘導により導体を発熱させる電磁誘導加熱装置であって、誘導コイルと、該誘導コイルが少なくとも一つ以上設けられる操作用のアプリケータと、前記誘導コイルに高周波電流を供給する電源と、前記アプリケータ近傍の画像を撮影する撮影手段と、前記撮影手段によって撮影された画像データを送信する通信手段と、前記電源から前記誘導コイルに対する高周波電流の出力の制御を行う制御手段と、前記アプリケータに設けられており、前記導体の有無、その種類、その位置を検出する非接触センサを備えるとともに、前記制御手段は、前記非接触センサによる検出結果に応じて、最適な加熱条件を決定し、該決定された加熱条件に基づいて、前記誘導コイルへ供給する高周波電流の出力を制御することを特徴とする。
【０００７】
主要な形態の一つは、前記通信手段がネットワークに接続されており、該ネットワークに接続された端末において前記画像データを再生する再生手段，を備えたことを特徴とする。他の形態は、前記通信手段がネットワークに接続されており、前記制御手段は、前記ネットワークに接続された端末から送信されたデータに基づいて、前記誘導コイルへ供給する高周波電流の出力を制御することを特徴とする。
【０００８】
更に他の形態の一つは、前記非接触センサが、電磁波又は超音波を対象物に向けて発信し、前記対象物による反射波を受信するものであり、前記制御手段は、最適な加熱条件として、前記誘導コイルに供給する高周波電流の電流値，周波数，通電時間を決定することを特徴とする。
【０００９】
更に他の形態の一つは、前記アプリケータが温度センサを備えており、前記制御手段は、前記温度センサの出力に基づき、前記最適な加熱条件を修正することを特徴とする。更に他の形態の一つは、前記加熱条件に影響を与える情報を入力するための入力手段，を設けるとともに、前記制御手段は、前記入力手段により入力された情報を考慮して、前記最適な加熱条件を決定することを特徴とする。更に他の形態の一つは、前記アプリケータに、前記撮影手段で撮影された画像を前記通信手段を介して表示する表示手段を設けたことを特徴とする。
【００１０】
更に他の形態の一つは、一端側に前記アプリケータが取り付けられる長尺の延長手段，を設けるとともに、前記アプリケータと前記延長手段を、前記アプリケータが対象物に接触するように付勢する付勢手段を介して接続することを特徴とする。更に他の形態の一つは、前記延長手段が伸縮可能であることを特徴とする。更に他の形態の一つは、前記延長手段が、前記アプリケータに対して着脱可能であることを特徴とする。更に他の形態の一つは、前記延長手段に、前記撮影手段で撮影された画像を前記通信手段を介して表示するための表示手段を設けたことを特徴とする。本発明の前記及び他の目的，特徴，利点は、以下の詳細な説明及び添付図面から明瞭になろう。
【発明の効果】
【００１１】
本発明によれば、電磁誘導により導体を発熱させる電磁誘導加熱装置において、誘導コイルと、該誘導コイルが少なくとも一つ以上設けられる操作用のアプリケータと、前記誘導コイルに高周波電流を供給する電源と、前記アプリケータが当接している部位の画像を撮影する撮影手段と、データを記憶する記憶手段と、ネットワークに接続するための通信手段と、前記電源から前記誘導コイルへの高周波電流の出力，前記撮影手段及び前記通信手段の制御を行う制御手段と、を備えることとした。このため、前記ネットワークを通じて他の端末に前記撮影手段により撮影した画像を送信し、該画像を確認した端末側から送信される指示を再生し、あるいは、前記指示に基づいて加熱条件を修正するという遠隔指示や遠隔操作が可能となり、より確実な作業を行うことができる。また、前記導体の有無、その種類、その位置を検出する非接触センサを備えるとともに、前記制御手段は、前記非接触センサによる検出結果に応じて、最適な加熱条件を決定し、該決定された加熱条件に基づいて、前記誘導コイルへ供給する高周波電流の出力を制御することとしたので、発熱導体に応じた適切な出力制御が可能となる。
【図面の簡単な説明】
【００１２】
【図１】本発明の実施例１を示す図であり、(A)は全体構成を示す斜視図，(B)は前記(A)を矢印Ｆ１方向から見た側面図である。
【図２】前記実施例のアプリケータを示す図であり、(A)は磁界発生ロールを示す側面図，(B)は前記磁界発生ロールの平面図，(C)は磁界発生ロールの他の例を示す図，(D)は前記アプリケータの変形例を示す底面図である。
【図３】前記実施例１のシステム構成を示すブロック図である。
【図４】本発明の実施例２を示す図であり、(A)はアプリケータを対象物に押し付ける前の状態を示す図，(B)及び(C)はアプリケータを対象物に押し付けた状態を示す図である。
【図５】前記実施例２による加熱手順の一例を示す図である。
【発明を実施するための形態】
【００１３】
以下、本発明を実施するための最良の形態を、実施例に基づいて詳細に説明する。
【実施例１】
【００１４】
最初に、図１〜図３を参照しながら本発明の実施例１を説明する。図１(A)は本実施例の電磁誘導加熱装置の全体構成を示す斜視図，図１(B)は前記(A)を矢印Ｆ１方向から見た側面図である。図２は、本実施例のアプリケータを示す図であり、(A)は磁界発生ロールを示す側面図，(B)は前記磁界発生ロールの平面図，(C)は磁界発生ロールの他の例を示す図，(D)はアプリケータの変形例を示す底面図である。図３は、本実施例に電磁誘導加熱装置のシステム構成を示すブロック図である。
【００１５】
本発明は、電磁誘導加熱を利用した様々な加工（対象物同士の接着や剥離等）に適用可能であり、その装置の形態も、携帯型，半自動型，自動型等さまざまであるが、本実施例では、携帯型を例に挙げて説明する。また、本実施例では、図１(B)に示すように、パネルなどの対象物９０を、壁や床等の対象物９２に接着する際に用いる接着剤９４を加熱するとともに、前記対象物９０を前記対象物９２に向けて圧着する場合を例に挙げて説明している。前記接着剤９４としては、ホットメルト接着剤が用いられ、その内部には、電磁誘導により発熱する金属層９６（発熱導体）が設けられている。
【００１６】
図１(A)に示すように、本実施例の電磁誘導加熱装置１０は、磁界発生ロール２０Ａ，２０Ｂが設けられたアプリケータ１２と、該アプリケータ１２にコード３８で接続された外部電源４０により構成されている。前記アプリケータ１２は、図示の例では、底面が開放した略直方体状であって、上面１２Ａには、操作用の取手１４が設けられている。該取手１４の先端にはボタン１６が設けられている。前記ボタン１６は、コード３８を介して接続された外部電源４０からの電力の供給のＯＮ／ＯＦＦを切り替えるためのものである。なお、図示の例では、外部電源４０から電力を供給することとしたが、前記アプリケータ１２内に一体に設けるようにしてもよい。
【００１７】
前記アプリケータ１２の内側には、磁界発生ロール２０Ａ，２０Ｂの軸２４が回転可能かつ昇降可能に支持されている。前記磁界発生ロール２０Ａ，２０Ｂは、図２(A)に示すように、略円柱状の回転ロール２２の表面に、複数の誘導コイル２８を設けた構成となっている。前記アプリケータ１２の上部内側には、前記誘導コイル２８から発生する電磁波の拡散を防止するためのフェライト板２９等が必要に応じて設けられている。図２(A)及び(B)に示す例では、前記回転ロール２２の表面に、前記軸２４の円周方向に略等間隔で複数設けられた突起２６を中心に、平面渦巻状に誘導コイル２８が形成されている。このような磁界発生ロール２０Ａ，２０Ｂの表面は、前記誘導コイル２８が直に加工対象に接触しないように耐熱性シート３０等により覆われている。
【００１８】
また、図２(C)に示す磁界発生ロール２０Ｃのように、回転ロール２２の表面に、軸方向に複数個の誘導コイル２８を並べた列を、複数列設けるようにしてもよい。なお、前記誘導コイル２８と回転ロール２２の間にも、図２(A)に示すように、安全対策と電磁波の遮蔽を兼ねてフェライト３２等を設けるようにしてもよい。図２(D)に示す例については後述する。前記磁界発生ロール２０Ａ，２０Ｂは、その両端面に設けられた軸２４を、前記アプリケータ１２の側面１２Ｂ，１２Ｃに形成した長穴１８に収納することにより、回転可能かつ上下動可能にアプリケータ１２の内側に支持される。
【００１９】
前記アプリケータ１２の内部の後方（図１(B)の右側）には、前記磁界発生ロール２０Ａ，２０Ｂによって加熱された対象物に対し、圧着処理を施すための圧着ローラ５２が設けられている。該圧着ローラ５２は、前記アプリケータ１２の一対の側面１２Ｂ，１２Ｃ間にわたって設けられており、その両端面に設けられた軸５４を、前記側面１２Ｂ，１２Ｃに設けられた長穴５０に収納することで、回転可能かつ上下動可能に支持される。なお、図１(A)に示すように、前記長穴５０に前記軸５４を付勢するスプリング５８を設けるか、あるいは、アプリケータ１２の内部に前記軸５４を付勢するスプリング５６を設けることで、対象物に凹凸面があっても圧着が可能となる。以上のような圧着ローラ５２は、必要に応じて設ければよく、着脱可能な構成としてもよい。
【００２０】
更に、前記アプリケータ１２には、図３に示すように、カメラ６０，スピーカ６２，入力部６４，表示部６６，対象物センサ７０，温度センサ７２，メモリ７４，通信部７６及び制御部７８が設けられている。本実施例のアプリケータ１２は、無線ＬＡＮなどの通信部７６を介して、インターネット８０を経由して、あるいは直接に、ＰＣ（パソコン）やＰＤＡなどの端末８２，８４に接続し、データの送受信等が可能となっている。また、前記制御部７８は、例えば、前記外部電源４０から前記誘導コイル２８への高周波電流の出力制御や、前記カメラ６０，スピーカ６２，対象物センサ７０，温度センサ７２，通信部７６などの各部の動作制御を行う。
【００２１】
前記カメラ６０は、アプリケータ１２の近傍，例えば、前記磁界発生ロール２０Ａ，２０Ｂが当接している部位の画像を撮影するものであり、撮影された画像データは、必要に応じて前記メモリ７４に格納される。また、必要に応じて、前記当接部位の画像データは、端末８２，８４などに送信して保存してもよいし、前記端末８２，８４のディスプレイにリアルタイムで画像を表示するようにしてもよい（図３の矢印ＦＡ参照）。そして、前記端末８２，８４のディスプレイに表示された画像を見ながら、例えば、「周波数をもう少し上げろ」などの指示を端末８２，８４側から電磁誘導加熱装置１０に送り（図３の矢印ＦＢ参照）、スピーカ６２等から音声出力してもよい。あるいは、前記指示に基づき、アプリケータ１２の制御部７８が、外部電源４０から磁界発生ロール２０Ａ，２０Ｂに供給する高周波電流の出力を制御するようにしてもよい。いずれにしても、電磁誘導加熱装置１０と端末８２，８４等をネットワークで接続可能とすることで、過去の作業で培った経験等に基づく指示を取り入れて、より確実な作業をすることができる。なお、前記カメラ６０による撮影は、誘導コイル２８へ通電している間は自動的に行うようにしてもよいし、図示しない撮影ボタン等により作業者が任意に行うようにしてもよい。
【００２２】
前記入力部６４は、例えば、複数のボタン等であって、加熱条件に影響を与える情報等を入力するためのものである。加熱条件に影響を与える情報とは、前記誘導コイル２８への通電時間に影響する気象条件等や、前記接着剤９４の軟化温度・溶融温度・炭化温度等である。前記表示部６６は、例えば、液晶パネル等であって、前記入力部６４により入力された情報等を表示するものである。これら入力部６４や表示部６６は、必要に応じて設けるようにすればよい。なお、前記入力した情報をどのように用いるかについては後述する。前記入力された情報は、必要に応じて前記メモリ７４に保存したり、前記通信部７６を介して、端末８２，８４等に送信したりしてもよい。
【００２３】
次に、前記アプリケータ１２に設けられている対象物センサ７０及び温度センサ７２について説明する。前記対象物センサ７０は、前記アプリケータ１２を当接させる対象物（図示の例では、対象物９０）側に、発熱導体があるかどうか、ある場合にはその種類及び位置（深さ）を検出する非接触のセンサである。本実施例では、前記対象物センサ７０として、電波を対象物に向けて発信し、該対象物による反射波を受信するセンサを利用している。そして、前記制御部７８は、前記対象物センサ７０による検出結果に応じて、最適な加熱条件を決定し、該決定された加熱条件に基づいて、前記誘導コイル２８へ供給する高周波電流の出力を制御する。
【００２４】
ここで、最適な加熱条件とは、例えば、前記誘導コイル２８に供給する高周波電流の電流値，周波数，通電時間等である。具体的には、前記アプリケータ１２を対象物９０に置いたときに、該対象物９０に向けて電波を発信し、反射波を受信して、発熱導体（図示に例では金属層９６）があるかどうか、ある場合には、磁界発生ロール２０Ａ，２０Ｂからどの程度の深さにあるかを検知して最適な周波数に調整する，電波を発信して金属の種類を特定し、その発熱量を計算して、通電時間を制御するという具合である。なお、以上のように算出された加熱条件の最適値は、必要に応じて前記メモリ７４に保存してもよいし、ネットワークを介して他の端末８２，８４等に送信するようにしてもよい。前記温度センサ７２は、前記対象物センサ７０の検知結果に基づいて算出された最適な加熱条件を修正するためのもので、前記制御部７８は、前記温度センサ７２の出力から所定の温度になったかどうかをモニターし、前記最適な加熱条件を修正する。すなわち、計算値にフィードバックをかけることで、より適切な加熱制御を行うことができる。
【００２５】
次に、本実施例の作用を説明する。図１(B)に示すように、対象物９０，９２を、金属層９６を有する接着剤９４を挟んで重ね、例えば、前記対象物９０の表面に、前記アプリケータ１２を当てる。そして、電源ボタン１６を押して前記対象物センサ７０から、前記対象物９０に向けて電波を発信し、上述したように、前記制御部７８によって、最適な加熱条件を計算し、該計算結果に基づいて、前記外部電源４０から前記磁界発生ロール２０Ａ，２０Ｂの誘導コイル２８へ供給する高周波電流の出力を調整する。
【００２６】
前記誘導コイル２８に電流が供給されると、前記接着剤９４中の金属層９６が発熱し、前記接着剤９４が加熱され、加熱された接着剤９４が溶けた状態で、前記対象物９０が前記圧着ローラ５２によって対象物９２に向けて押し付けられる。これにより、加熱から圧着までの加工を連続して行うことができる。なお、本実施例では、前記対象物センサ７０による検知結果に基づいて高周波電流の出力を制御する際に、前記温度センサ７２の出力に基づいてフィードバックをかける。また、前記入力部６４により、加熱条件に影響を与える条件が入力された場合には、前記計算された加熱条件に修正を加える。更に、ネットワークを通じ接続された端末８２，８４側から、加熱条件等についての指示があった場合には、当該指示を再生し、あるいは、当該指示に基づいて加熱条件の修正を行う。
【００２７】
このように、実施例１によれば、次のような効果がある。
(1)誘導コイル２８が複数設けられた磁界発生ロール２０Ａ，２０Ｂを有するアプリケータ１２と、前記誘導コイル２８に高周波電流を供給する外部電源４０と、前記アプリケータ１２が当接している部位の画像を撮影するカメラ６０と、データを記憶するメモリ７４と、通信部７６と、各部の動作を制御する制御部７８を設けることとした。このため、前記通信部７６を通じて、前記端末８２，８４等に、前記カメラ６０によって撮影した画像を送信し、該画像を確認しながら送信される指示を再生し、あるいは、前記指示に基づいて高周波電流の出力を制御することができる。すなわち、遠隔指示や遠隔操作が可能となるため、経験等に基づく指示等も取り入れて、確実な作業を行うことができる。
【００２８】
(2)前記アプリケータ１２に対象物センサ７０を設けて、対象物９０側の発熱導体の有無、その種類、その位置(深さ)等を検知し、検知結果から最適な加熱条件を計算し、当該計算結果に基づいて、前記誘導コイル２８へ供給する高周波電流の出力を制御することとしたので、発熱導体に応じた適切な出力制御が可能となる。
(3)前記アプリケータ１２に温度センサ７２を設け、その出力に基づいて前記最適な加熱条件を修正することで、より現状に即した加熱制御ができる。
(4)前記アプリケータ１２に加熱条件に影響を与える情報を入力するための入力部６４とそれを表示する表示部６６を設けることとしたので、接着剤９４の種類や気象条件等の影響も考慮して加熱条件を設定することができる。
【００２９】
(5)磁界発生ロール２０Ａ，２０Ｂの後部に、圧着ローラ５２を設けることとしたので、加熱から圧着までの加工を連続して行うことができる。
(6)前記アプリケータ１２を移動させて使用することにより、磁界が移動する。このため、固定磁界により発熱させる場合に比べて、発熱導体（例えば、金属層９６）の品質のバラツキによる加熱温度のムラ，コイル品質のムラ，電圧変化による加熱ムラ，コイルと発熱導体のムラ，操作する人の感覚の相違によるムラのある加熱を抑制できる。また、複数の誘導コイル２８を用いているため、より均一な加熱ができる。更に、磁界発生ロール２０Ａ，２０Ｂが回転する，すなわち、磁界が回転しながら移動することになるため、より均一な加熱が可能となる。
【実施例２】
【００３０】
次に、図４及び図５を参照しながら本発明の実施例２を説明する。なお、上述した実施例１と同一ないし対応する構成要素には同一の符号を用いることとする（以下の実施例についても同様）。図４(A)は本実施例のアプリケータを対象物に押し付ける前の状態を示す図，図４(B)及び(C)は前記アプリケータを対象物に押し付けた状態を示す図である。図５は、本実施例による加熱手順の一例を示す図である。図４(A)〜(D)に示すように、本実施例の電磁誘導加熱装置１００は、前記実施例１と同様な構成のアプリケータ１２を、長尺のロッド１１０の一端側に接続した構成となっている。図示の例では、前記ロッド１１０は、径が異なる略円筒状のパイプ１１０Ａ〜１１０Ｃが伸縮可能に接続した構成となっている。また、図示の例では、パイプ１１０Ｃに、取付部材１１４を介して、ディスプレイ１１２が設けられており、アプリケータ１２のカメラによる画像データが有線もしくは無線でディスプレイ１１２に送信されるようになっている。該ディスプレイ１１２を作業者の手元に設けることにより、離れた場所にあるアプリケータ１２のカメラで撮影した画像を確認しながら作業を行うことができる。
【００３１】
本実施例では、前記アプリケータ１２と前記ロッド１１０の先端は、バネ蝶番などの連結部材１２０を介して連結されている。前記バネ蝶番を用いることにより、図４(B)及び(C)に示すように、壁１３０や床１４０などの対象物に前記アプリケータ１２を当てる際に、該アプリケータ１２の底面全体が、前記壁１３０や床１４０に接触する。すなわち、前記アプリケータ１２とロッド１１０のなす角度が９０°より小さくなると、前記アプリケータ１２が前記ロッド１１０に対して直交するように付勢される。このため、ロッド１１０の操作により、アプリケータ１２を壁１３０に対して上下させたり、床１４０に対して往復させたりして、アプリケータ１２とロッド１１０のなす角度が変化しても、当該角度の変化に合わせて常にアプリケータ１２を対象物に接触させることができる。
【００３２】
本実施例では、例えば、アプリケータ１２を当てる対象物自体が金属の場合には、図５(A)に示すように、対象物１５０に前記アプリケータ１２を当てて加熱し、その後、接着剤層１６２を備えたシート１６０等を貼り付ける。このようにアプリケータ１２を当ててから一旦離すことで、適度に温度が低下してからシート１６０を貼り付けることができる。また、図５(B)に示す例では、対象物１７０が例えばコンクリートであって下地材１７２が設けられている。この場合には、貼り付けるシート１８０側が金属層１８２を有するものを使用する。図示の例では、金属層１８２を挟んでシート１８０と接着剤層１８４が積層したシートを用いている。そして、前記接着剤層１８４側を前記対象物１７０の下地材１７２に当てた状態で、シート１８０側から電磁誘導加熱装置１００により加熱する。前記接着剤層１６２，１８４としては、公知のホットメルト接着剤が用いられる。
【００３３】
このように、本実施例によれば、伸縮可能なロッド１１０の先端にアプリケータ１２を着脱可能に設けることとしたので、天井等の高所や、床などの低所での加熱に都合がよい。例えば、（ａ）高所・崖等の作業用の足場が不要になり、コスト削減になる，（ｂ）高所・崖等からの作業者の落下等の危険が少なくなり稼働率が向上する，（ｃ）床の加熱等のように、通常、中腰で行う作業を立った状態で行うことができ、不自然な体勢をとることによる腰痛等が少なくなり稼働率が向上する，という効果がある。また、床等の場合は、前記アプリケータ１２をロボット等に取り付けて使用してもよい。また、ロボットに取り付けて、自動車等の各種作業に使用してもよい。更に、ロッド１１０のパイプ１１０Ｃにディスプレイ１１２を設けることとしたので、アプリケータ１２のカメラで撮影した画像を確認しながら作業を行うことができる。
【００３４】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材質についても、同様の効果を奏する範囲内において、公知の各種の材質を使用してよい。
(2)前記実施例１で示したアプリケータ１２も一例であり、同様の効果を奏する範囲内で適宜設計変更可能である。例えば、図２(D)に示すアプリケータ１２´のように、内側に耐熱プレート３４を設け、該耐熱プレート３４の内側に、２つの平面渦巻状の誘導コイル３６Ａ，３６Ｂを設けるという具合である。むろん、図２(D)の例も一例であり、誘導コイルは一つでもよいし、更に増やしてもよい。また、前記アプリケータ１２から、誘導コイルを着脱可能な構成としてもよい。
【００３５】
(3)前記実施例１では、アプリケータ１２に圧着ローラ５２を設けることとしたが、これも一例であり、前記圧着ローラ５２は必要に応じて設ければよく、用途に応じて着脱できる構成としてもよい。
(4)前記実施例１では、アプリケータ１２に取手１４を設けたハンディタイプとしたが、これも一例であり、実施例２に示すように、ロッド１１０の先端に設けて使用してもよいし、ロボットや各種加工装置等に取り付けて使用してもよい。
(5)前記実施例１で示した電源との接続形態も一例であり、同様の効果を奏するように適宜設計変更してよい。また、アプリケータ１２自体が電源を備えた構成としてもよい。
(6)前記アプリケータ１２に、メモリ７４に記憶した画像を再生する手段を設けてもよい。また、前記カメラ６０で撮影する画像は、静止画であってもよいし動画であってもよい。加えて、前記実施例では、カメラ６０で磁界発生ロール２０Ａ，２０Ｂが当接している部位の画像を撮影したが、撮影部位は、必要に応じてアプリケータ１２近傍の適宜箇所としてよい。また、カメラを複数台設けて、１台は磁界発生ロール２０Ａ，２０Ｂの前方を撮影し、他の１台は磁界発生ロール２０Ａ，２０Ｂが当接している部位を撮影するといった方法も可能である。
【００３６】
(7)前記実施例では、対象物センサ７０として電波を用いることとしたが、これも一例であり、赤外線や超音波等を用いたものであってもよい。また、前記対象物センサ７０や温度センサ７２は必要に応じて設ければよい。
(8)前記実施例では、アプリケータ１２側に通信部７６や制御部７８を設けることとしたが、電源側に設けるようにしてもよい。
(9)前記実施例２では、延長手段であるロッド１１０の手元のパイプ１１０Ｃにディスプレイ１１２を設けることとしたが、これも一例であり、前記ディスプレイ１１２は必要に応じて設けるようにすればよい。また、ロッド１１０の他の位置に設けてもよい。更に、取付部材１１４から着脱可能な構成としてもよい。また、前記実施例１においても、アプリケータ１２の上面１２Ａ等に、カメラ６０で撮影した画像を映すディスプレイを設けるようにしてもよいし、前記表示部６６を利用して撮影画像を表示するようにしてもよい。
(10)前記実施例では、対象物同士を接着する例を示したが、接着されている対象物同士を剥がしたり、解体したりするために加熱してもよい。また、本発明は、天井，壁，床等の作業のほか、構造物・建築物全般の床・壁・天井や、トンネル・下水管・橋梁・防音壁等の新設や補修等に適用可能である。特に、遠隔指示や遠隔操作が可能であるため、危険作業になる場所・部位等の作業に好適である。
【産業上の利用可能性】
【００３７】
本発明によれば、誘導コイルと、該誘導コイルが少なくとも一つ以上設けられる操作用のアプリケータと、前記誘導コイルに高周波電流を供給する電源と、前記アプリケータ近傍の画像を撮影する撮影手段と、前記撮影手段によって撮影された画像データを送信する通信手段と、前記電源から前記誘導コイルに対する高周波電流の出力の制御を行う制御手段と、を備えることとした。このため、導体を発熱して対象物を加熱する電磁誘導加熱装置の用途に適用できる。特に、前記撮影手段により撮影した画像を他の端末に送信し、該画像を確認しながら送られる指示に基づいて加熱条件を修正することができるため、遠隔操作や遠隔指示を必要とする場所で使用される電磁誘導加熱装置の用途に好適である。また、前記導体の有無、その種類、その位置を検出する非接触センサを備えるとともに、前記制御手段は、前記非接触センサによる検出結果に応じて、最適な加熱条件を決定し、該決定された加熱条件に基づいて、前記誘導コイルへ供給する高周波電流の出力を制御することとしたので、発熱導体に応じた適切な出力制御が可能となる。
【符号の説明】
【００３８】
１０：電磁誘導加熱装置
１２，１２´：アプリケータ
１２Ａ：上面
１２Ｂ，１２Ｃ：側面
１４：取手
１６：ボタン
１８：長穴
２０Ａ，２０Ｂ，２０Ｃ：磁界発生ロール
２２：回転ロール
２４：軸
２６：突起
２８：誘導コイル
２９：フェライト
３０：耐熱性シート
３２：フェライト
３４：耐熱プレート
３６Ａ，３６Ｂ：誘導コイル
３８：コード
４０：外部電源
５０：長穴
５２：圧着ローラ
５４：軸
５６，５８：スプリング
６０：カメラ
６２：スピーカ
６４：入力部
６６：表示部
７０：対象物センサ
７２：温度センサ
７４：メモリ
７６：通信部
７８：制御部
８０：インターネット
８２，８４：端末
９０，９２：対象物
９４：接着剤
９６：金属層（導体）
１００：電磁誘導加熱装置
１１０：ロッド
１１０Ａ〜１１０Ｃ：パイプ
１１２：ディスプレイ
１１４：取付部材
１２０：連結部材
１３０：壁
１４０：床
１５０，１７０：対象物
１６０，１８０：シート
１６２，１８４：接着剤層
１７２：下地材
１８２：金属層
【図１】
0006589164.tif 000002
【図２】
0006589164.tif 000003
【図３】
0006589164.tif 000004
【図４】
0006589164.tif 000005
【図５】
0006589164.tif 000006